(57)【要約】【課題】金箔より簡易に製造可能かつ安価で取り扱いも容易であるとともに、被装飾部材の表面に対して金箔と遜色のない意匠性を付与することが可能な金箔代替品を提供する。【解決手段】被装飾部材表面に貼着して使用されて金箔調表面を付与する金または金合金からなる金光輝層２０を有するフィルムよりなり、金光輝層の上面側に上側プライマー層４０を介してポリ塩化ビニル、ポリプロピレン、ポリスチレン、アクリロニトリル・ブタジエン・スチレン、アクリロニトリル・スチレンポリブチレンテレフタレート、ポリエチレンテレフタラート、アクリル系樹脂、ウレタン系樹脂の単独またはこれらの混合物からなる透明樹脂層３０を有するとともに、金光輝層の下面側に下側プライマー層６０を介してアクリル系粘着剤からなる接着層５０を有し、接着層の下面側には使用時に剥離されるセパレータ層７０が形成されている。【選択図】図１
0003223269.tif 000002
【実用新案登録請求の範囲】
【請求項１】
被装飾部材表面に貼着して使用されて金箔調表面を付与する金または金合金からなる金光輝層を有するフィルムよりなる金箔代替品であって、
前記金光輝層の上面側に密着性及び保護性を有する上側プライマー層を介してポリ塩化ビニル、ポリプロピレン、ポリスチレン、アクリロニトリル・ブタジエン・スチレン、アクリロニトリル・スチレンポリブチレンテレフタレート、ポリエチレンテレフタラート、アクリル系樹脂、ウレタン系樹脂の単独またはこれらの混合物からなる厚さ１０〜１００μｍの透明樹脂層を有するとともに、
前記金光輝層の下面側に密着性及び保護性を有する下側プライマー層を介してアクリル系粘着剤からなる厚さ１０〜１００μｍの接着層を有し、
前記接着層の下面側には使用時に剥離される厚さ２５〜７５μｍのセパレータ層が形成されている
ことを特徴とする金箔代替品。
【請求項２】
前記上側プライマー層及び下側プライマー層が厚さ０．０１〜１μｍのポリエステル系樹脂、メラミン系樹脂、尿素系樹脂、尿素−メラミン系樹脂、ウレタン系樹脂、アクリル系樹脂、ニトロセルロース系樹脂の単独またはこれらの混合物からなる請求項１に記載の金箔代替品。
【請求項３】
前記下側プライマー層と前記接着層との間にポリ塩化ビニル、ポリプロピレン、ポリスチレン、アクリロニトリル・ブタジエン・スチレン、アクリロニトリル・スチレン、ポリメタクリル酸メチル、ポリブチレンテレフタレート、ポリエチレンテレフタラートの単独またはこれらの混合物からなる厚さ２５〜３００μｍの基材層が介在されている請求項１または２に記載の金箔代替品。
【請求項４】
前記透明樹脂層の表面に、該表面を保護し平滑化する表面保護層が形成されている請求項１ないし３のいずれか１項に記載の金箔代替品。
【請求項５】
前記透明樹脂層の表面に凹凸状の艶消面が形成されている請求項１ないし３のいずれか１項に記載の金箔代替品。
【請求項６】
前記透明樹脂層が着色されている請求項１ないし５のいずれか１項に記載の金箔代替品。
【考案の詳細な説明】
【技術分野】
【０００１】
本考案は、金箔代替品に関する。
【背景技術】
【０００２】
金箔は、金に微量の銀や銅等を加えた金合金が圧延機等で０．０２〜０．０３ｍｍ程度の厚さに延ばされた後、澄工程（上澄）と箔工程（箔打ち）とを経て厚さ約０．０００１ｍｍに延ばされて得られる。このようにして製造される金箔は、澄工程と箔工程とが異なる職人によって分業され、しかも各工程の作業手順が非常に多く、職人の手作業による高度な技術が必要であり、製造工程が極めて煩雑で製品も高価となる。
【０００３】
また、金箔は、工芸品、美術品、建築物等の表面の装飾材として使用されることが一般的である。これら工芸品等の被装飾部材に対する金箔の貼り付けは、手作業で行われる（例えば、特許文献１参照）。金箔の貼り付け作業は、被装飾部材の表面を清浄にし、その表面に接着剤を塗布して乾燥させた後、金箔を被装飾部材の表面に乗せて、金箔にしわ等が生じないようにしながら表面を押し付けて被装飾部材表面に接着させ、金箔表面にコーティングが施される。しかしながら、金箔は極めて薄く柔らかい材質であるため、破れやしわが発生しやすく取り扱いが困難である。そのため、手作業での金箔の貼り付けには高度な技術や時間等が必要であり、容易ではなかった。
【０００４】
そこで考案者は、被装飾部材の表面に対して金箔と遜色のない意匠性を付与することが可能でありながら、金箔より簡易に製造可能であり、安価で取り扱いも容易な金箔代替品を考案するに至った。
【先行技術文献】
【特許文献】
【０００５】
【特許文献１】２０１２−１２６７６４号公報
【考案の概要】
【考案が解決しようとする課題】
【０００６】
本考案は、前記の点に鑑みなされたものであって、金箔より簡易に製造可能かつ安価で取り扱いも容易であるとともに、被装飾部材の表面に対して金箔と遜色のない意匠性を付与することが可能な金箔代替品を提供するものである。
【課題を解決するための手段】
【０００７】
すなわち、請求項１の考案は、被装飾部材表面に貼着して使用されて金箔調表面を付与する金または金合金からなる金光輝層を有するフィルムよりなる金箔代替品であって、前記金光輝層の上面側に密着性及び保護性を有する上側プライマー層を介してポリ塩化ビニル、ポリプロピレン、ポリスチレン、アクリロニトリル・ブタジエン・スチレン、アクリロニトリル・スチレンポリブチレンテレフタレート、ポリエチレンテレフタラート、アクリル系樹脂、ウレタン系樹脂の単独またはこれらの混合物からなる厚さ１０〜１００μｍの透明樹脂層を有するとともに、前記金光輝層の下面側に密着性及び保護性を有する下側プライマー層を介してアクリル系粘着剤からなる厚さ１０〜１００μｍの接着層を有し、前記接着層の下面側には使用時に剥離される厚さ２５〜７５μｍのセパレータ層が形成されていることを特徴とする金箔代替品に係る。
【０００８】
請求項２の考案は、前記上側プライマー層及び下側プライマー層が厚さ０．０１〜１μｍのポリエステル系樹脂、メラミン系樹脂、尿素系樹脂、尿素−メラミン系樹脂、ウレタン系樹脂、アクリル系樹脂、ニトロセルロース系樹脂の単独またはこれらの混合物からなる請求項１に記載の金箔代替品に係る。
【０００９】
請求項３の考案は、前記下側プライマー層と前記接着層との間にポリ塩化ビニル、ポリプロピレン、ポリスチレン、アクリロニトリル・ブタジエン・スチレン、アクリロニトリル・スチレン、ポリメタクリル酸メチル、ポリブチレンテレフタレート、ポリエチレンテレフタラートの単独またはこれらの混合物からなる厚さ２５〜３００μｍの基材層が介在されている請求項１または２に記載の金箔代替品に係る。
【００１０】
請求項４の考案は、前記透明樹脂層の表面に、該表面を保護し平滑化する表面保護層が形成されている請求項１ないし３のいずれか１項に記載の金箔代替品に係る。
【００１１】
請求項５の考案は、前記透明樹脂層の表面に凹凸状の艶消面が形成されている請求項１ないし３のいずれか１項に記載の金箔代替品に係る。
【００１２】
請求項６の考案は、前記透明樹脂層が着色されている請求項１ないし５のいずれか１項に記載の金箔代替品に係る。
【考案の効果】
【００１３】
請求項１の考案に係る金箔代替品は、被装飾部材表面に貼着して使用されて金箔調表面を付与する金または金合金からなる金光輝層を有するフィルムよりなる金箔代替品であって、前記金光輝層の上面側に密着性及び保護性を有する上側プライマー層を介してポリ塩化ビニル、ポリプロピレン、ポリスチレン、アクリロニトリル・ブタジエン・スチレン、アクリロニトリル・スチレンポリブチレンテレフタレート、ポリエチレンテレフタラート、アクリル系樹脂、ウレタン系樹脂の単独またはこれらの混合物からなる厚さ１０〜１００μｍの透明樹脂層を有するとともに、前記金光輝層の下面側に密着性及び保護性を有する下側プライマー層を介してアクリル系粘着剤からなる厚さ１０〜１００μｍの接着層を有し、前記接着層の下面側には使用時に剥離される厚さ２５〜７５μｍのセパレータ層が形成されているため、金箔と遜色ない外観を有しながら、金箔よりも簡便かつ安価に製造することができて汎用性にも優れるとともに、金箔と比較して取り扱いやすく被装飾部材への貼着の作業性が格段に向上し、保管等もしやすくなって製品としての利便性が高められる。
【００１４】
請求項２の考案に係る金箔代替品は、請求項１において、前記上側プライマー層及び下側プライマー層が厚さ０．０１〜１μｍのポリエステル系樹脂、メラミン系樹脂、尿素系樹脂、尿素−メラミン系樹脂、ウレタン系樹脂、アクリル系樹脂、ニトロセルロース系樹脂の単独またはこれらの混合物からなるため、十分な密着性が得られるとともに、透明樹脂層の膨潤を効果的に防止することができる。
【００１５】
請求項３の考案に係る金箔代替品は、請求項１または２において、前記下側プライマー層と前記接着層との間にポリ塩化ビニル、ポリプロピレン、ポリスチレン、アクリロニトリル・ブタジエン・スチレン、アクリロニトリル・スチレン、ポリメタクリル酸メチル、ポリブチレンテレフタレート、ポリエチレンテレフタラートの単独またはこれらの混合物からなる厚さ２５〜３００μｍの基材層が介在されているため、強度が向上して破れにくくなるとともに、保形性が高められてより取り扱いやすくなる。
【００１６】
請求項４の考案に係る金箔代替品は、請求項１ないし３において、前記透明樹脂層の表面に、該表面を保護し平滑化する表面保護層が形成されているため、製造時、輸送時、保管時、被装飾部材への貼着時等において透明樹脂層の表面を保護するとともに、金箔調の光沢感をより向上させることができる。
【００１７】
請求項５の考案に係る金箔代替品は、請求項１ないし３において、前記透明樹脂層の表面に凹凸状の艶消面が形成されているため、よりリアルな金箔調の装飾が可能となるとともに、金箔調表面にさらに意匠性を付与することも可能となる。
【００１８】
請求項６の考案に係る金箔代替品は、請求項１ないし５において、前記透明樹脂層が着色されているため、実際の金箔の多様な色合いに対応する金箔調の色感を発現させることができる。
【図面の簡単な説明】
【００１９】
【図１】本考案の第１実施形態に係る金箔代替品の断面図である。
【図２】本考案の第２実施形態に係る金箔代替品の断面図である。
【図３】本考案の第３実施形態に係る金箔代替品の断面図である。
【図４】本考案の第４実施形態に係る金箔代替品の断面図である。
【考案を実施するための形態】
【００２０】
本考案は、図１〜４に示すように、被装飾部材表面に貼着して使用されて金箔調表面を付与する金箔代替品１０であって、金光輝層２０を有するフィルムよりなる。被装飾部材は、本来の金箔による装飾が行われる漆器や陶磁器等の工芸品、仏像や屏風等の美術品、神社仏閣等の建築物に加え、パーソナルコンピュータ、スマートホンの筐体やカバーケース、電化製品、ルームライト等の家電類、自動車のメッキ部品や樹脂部品等の自動車部品類等の各種製品が挙げられる。
【００２１】
図１は、第１実施形態に係る金箔代替品１０Ａである。金箔代替品１０Ａは、金光輝層２０の上面側に上側プライマー層４０を介して透明樹脂層３０を有するとともに、金光輝層２０の下面側に下側プライマー層６０を介して接着層５０を有し、接着層５０の下面側にセパレータ層７０が形成されている。
【００２２】
金光輝層２０は、金箔調の色彩や光沢を発現させるための薄膜層であって、金または金合金からなる。金合金は、金を主体として、銀、銅、亜鉛、アルミニウム、ニッケル、パラジウム、インジウム、ガリウム等のいずれか１つまたは複数で構成される合金である。金光輝層２０を成膜する手法としては、公知の真空蒸着法、電子ビーム蒸着法、イオンプレーティング法、マグネトロンスパッタリング法等の物理的成膜法が適宜選択される。金光輝層２０の厚みは、価格や外観性等の観点から、０．０３〜０．１μｍであることが好ましい。金光輝層２０が薄すぎると十分な金箔調の色彩が発現されないおそれがあり、厚すぎるとクラックが生じやすくなったりコスト面で不利となったりする等の問題がある。
【００２３】
透明樹脂層３０は、表面を保護し耐候性を付与するとともに金光輝層２０の金箔調の色彩を透過させる層である。透明樹脂層３０は、ポリ塩化ビニル、ポリプロピレン、ポリスチレン、アクリロニトリル・ブタジエン・スチレン、アクリロニトリル・スチレンポリブチレンテレフタレート、ポリエチレンテレフタラート、アクリル系樹脂、ウレタン系樹脂の単独またはこれらの混合物からなる。
【００２４】
この透明樹脂層３０は、透明樹脂フィルムまたはグラビアロールコーティング法等の公知の手法によって形成される。透明樹脂層３０の厚みは、耐候性等の性能や価格等の観点から、１０〜１００μｍとされる。透明樹脂層３０が薄すぎると耐候性等の性能を十分に確保することが困難となり、厚すぎると価格的な観点から問題となる。要求される耐候性としては、金箔代替品１０単品でのサンシャインウェザーメーター２０００時間処理による色差のΔＥが少なくとも３以内であることが好ましく、耐候性を向上させるために透明樹脂層３０に公知の紫外線吸収剤を添加してもよい。また、必要に応じて、透明樹脂層３０を着色してもよい。透明樹脂層３０の着色は、顔料等の適宜の着色剤の添加、透明樹脂フィルムの着色コーティング等の適宜の着色方法によって行われる。
【００２５】
上側プライマー層４０は、金光輝層２０と透明樹脂層３０との間に形成されて、両者の密着性及び保護性を高める層である。この上側プライマー層４０は、ポリエステル系樹脂、メラミン系樹脂、尿素系樹脂、尿素−メラミン系樹脂、ウレタン系樹脂、アクリル系樹脂、ニトロセルロース系樹脂の単独またはこれらの混合物からなる。
【００２６】
上側プライマー層４０は、グラビアコーティング法、スクリーン印刷法、オフセット印刷法等の公知の手法によって金光輝層２０の上面に塗布され、乾燥されて形成される。上側プライマー層４０の厚みは、金光輝層２０と透明樹脂層３０との密着性が十分得られるならば特に限定されるものではなく、例えば０．０１〜１μｍが好ましい。上側プライマー層４０が薄すぎると密着効果が得られず、厚すぎても密着しにくくなって価格的にも不利となる。
【００２７】
接着層５０は、当該金箔代替品１０の使用時に被装飾部材表面に貼着可能とするための層であって、アクリル系粘着剤からなる。接着層５０は、グラビアロールコーティング法等の公知の手法によって形成される。接着層５０の厚みは、接着強度や価格等の観点から、１０〜１００μｍが好ましい。接着層５０が薄すぎると満足な接着強度が得られず、厚すぎると価格的に不利となる。
【００２８】
下側プライマー層６０は、金光輝層２０と接着層５０との間に形成されて、両者の密着性及び保護性を高める層である。この下側プライマー層６０は、上側プライマー層４０と同様に、ポリエステル系樹脂、メラミン系樹脂、尿素系樹脂、尿素−メラミン系樹脂、ウレタン系樹脂、アクリル系樹脂、ニトロセルロース系樹脂の単独またはこれらの混合物からなる。
【００２９】
下側プライマー層６０は、グラビアコーティング法、スクリーン印刷法、オフセット印刷法等の公知の手法によって金光輝層２０の下面に塗布され、乾燥されて形成される。下側プライマー層６０の厚みは、金光輝層２０と接着層５０との密着性が十分得られるならば特に限定されるものではなく、例えば０．０１〜１μｍが好ましい。下側プライマー層６０が薄すぎると密着効果が得られず、厚すぎても密着しにくくなって価格的にも不利となる。
【００３０】
また、上側プライマー層４０及び下側プライマー層６０は、金光輝層２０と透明樹脂層３０や接着層５０との密着性向上に加え、透明樹脂層３０の保護性を有する。この種の積層体においては、接着層５０に含まれる溶剤が金光輝層２０を通過して透明樹脂層３０に浸透することによって、膨潤が発生して透明樹脂層３０が劣化するおそれがある。そのため、透明樹脂層３０と接着層５０との間に上側プライマー層４０や下側プライマー層６０を介在させることにより、接着層５０の溶剤による透明樹脂層３０の膨潤を効果的に防止することができる。
【００３１】
セパレータ層７０は、接着層５０の下面側に形成されて、当該金箔代替品１０の未使用時（使用前）に接着層５０の不用意な接触を防止するとともに、使用時に剥離されるフィルム層である。このセパレータ層７０は、ポリエチレンテレフタラート（ＰＥＴ）等のポリエステル系、ポリプロピレン（ＰＰ）等のポリオレフィン系等の熱可塑性樹脂からなる。セパレータ層７０の厚みは、保護性や価格的な観点から、厚さ２５〜７５μｍがこのましい。セパレータ層７０が薄すぎると接着層５０を保護できなくなるおそれがあり、厚すぎると価格的に不利となる。
【００３２】
この金箔代替品１０Ａは、金光輝層２０を有するフィルムからなり、表面の透明樹脂層３０により金光輝層２０の色彩や光沢が透過されるため、表面に金箔調の外観を発現させることができ、公知の製造装置等により極めて簡易に製造することができる。そのため、金箔と遜色ない外観を有しながら、金箔よりも簡便かつ安価に製造することが可能である。また特に、金箔代替品１０Ａは、大きなサイズの製品としても製造可能であることから、壁紙等の大型の装飾部材として用いることもできる。従って、家電類や自動車部品類等製品や、室内の壁面装飾等の一般的に金箔の装飾が行われない被装飾部材にも金箔調の装飾を施すことができ、金箔よりも格段に汎用性の高い製品を提供することが可能となる。
【００３３】
さらに、金箔が被装飾部材に接着剤を塗布して乾燥させてから貼り付け作業を行うのに対し、金箔代替品１０Ａは接着層５０を備えているため、被装飾部材に対する接着剤の塗布及び乾燥作業を行わずに直接貼着することができる。しかも、金箔代替品１０Ａの表面が保護性に優れた透明樹脂層３０で構成されるため、柔軟でありながら強度にも優れて破れにくくなるとともに、表面にしわ等も発生しにくくなる。特に、貼着時に熱を加える等により、被装飾部材の形状に対応させやすくなり、しわ等の発生をより抑制することができる。従って、金箔と比較して高度な技術がなくても簡単かつ的確に貼着することができて取り扱いやすくなり、被装飾部材への貼着の作業性が格段に向上する。
【００３４】
また、金箔代替品１０Ａでは、未使用時（使用前）に接着層５０を保護するセパレータ層７０を有するため、接着層５０の接着力を保持することが可能となる。特に、セパレータ層７０により、未使用時（使用前）の接着層５０の不用意な接触を回避することができるため、保管等がしやすくなって製品としての利便性が高められる。
【００３５】
加えて、透明樹脂層３０を着色することにより、透明樹脂層３０を透過する金光輝層２０の金箔調の色感を変化させることができる。例えば、一般的な金箔は、圧延しやすくするために金に銀や銅等が添加された金合金で構成され、その添加量に応じて赤金、白金色等の多様な色合いに形成される。透明樹脂層３０の着色により実際の金箔の多様な色合いに対応する金箔調の色感を発現させることができ、よりリアルな金箔調の装飾が可能となる。
【００３６】
図２は、第２実施形態に係る金箔代替品１０Ｂである。金箔代替品１０Ｂは、下側プライマー層６０と接着層５０との間に基材層８０が介在されている。なお、以下の説明において、図１の金箔代替品１０Ａと同一の符号は同一の構成を表すものとして説明を省略する。
【００３７】
基材層８０は、当該金箔代替品１０Ｂの強度を向上させるとともに、機械成形する際の支持体として機能するフィルム層である。基材層８０は、ポリ塩化ビニル、ポリプロピレン、ポリスチレン、アクリロニトリル・ブタジエン・スチレン、アクリロニトリル・スチレン、ポリメタクリル酸メチル、ポリブチレンテレフタレート、ポリエチレンテレフタラートの単独またはこれらの混合物からなる。基材層８０の厚みは、強度や価格等の観点から、２５〜３００μｍが好ましい。基材層８０が薄すぎると十分な強度が得られないおそれがあり、厚すぎると当該金箔代替品１０Ｂの柔軟性が低下してしわや折れ目等が発生しやすくなるとともに価格的にも不利となる。
【００３８】
金箔代替品１０Ｂは、基材層８０を有することにより、強度が向上して破れにくくなる。また、基材層８０が各層の支持体として機能して保形性が高められる。そのため、貼着作業時により取り扱いやすくなって、作業性が向上する。
【００３９】
図３は、第３実施形態に係る金箔代替品１０Ｃである。金箔代替品１０Ｃは、透明樹脂層３０の表面に表面保護層９０が形成されている。表面保護層９０は、製造時、輸送時、保管時、被装飾部材への貼着時等において、金箔代替品１０Ｃの透明樹脂層３０の表面を保護して損傷等を防止するとともに、透明樹脂層３０の表面を平滑化するためのフィルム層である。表面保護層９０は、ポリエチレンテレフタラート（ＰＥＴ）等のポリエステル系、ポリプロピレン（ＰＰ）等のポリオレフィン系等の熱可塑性樹脂からなる。表面保護層９０の厚みは、保護性能や価格等の観点から、１２〜７５μｍが好ましい。表面保護層９０が薄すぎると十分な保護性能が得られず、厚すぎると価格的に不利となる。
【００４０】
また、表面保護層９０は、製造時のキャリアフィルムとしても機能する。金箔代替品１０Ｃの製造に際しては、表面保護層９０の裏面側に、透明樹脂層３０、上側プライマー層４０、金光輝層２０、下側プライマー層６０、基材層８０、接着層５０、セパレータ層７０の順に各層が形成される。表面保護層９０は、金箔代替品１０Ｃの使用時等において最終的には剥離除去される。
【００４１】
金箔代替品１０Ｃは、表面保護層９０により、製造時、輸送時、保管時、被装飾部材への貼着時等において透明樹脂層３０の表面を保護することに加え、表面保護層９０を剥離することによって透明樹脂層３０の表面が平滑化されて平滑面が形成される。透明樹脂層３０の平滑面により、光の反射率を向上させて透明樹脂層３０を透過する金光輝層２０の金箔調の光沢感をより向上させることができる。
【００４２】
図４は、第４実施形態に係る金箔代替品１０Ｄである。金箔代替品１０Ｄは、透明樹脂層３０の表面に凹凸状の艶消面３１が形成されている。艶消面３１は、透明樹脂層３０の表面において凹凸により光を拡散させて反射率を低下させ、艶消し効果を発現させる。この艶消面３１は、凹凸面９６を有する転写層９５によって形成される。
【００４３】
転写層９５は、下面側に凹凸面９６が形成されたフィルム層であり、透明樹脂層３０の表面に形成されて、剥離することによって透明樹脂層３０表面に凹凸面９６の凹凸形状を転写して艶消面３１を形成するためのフィルム層である。転写層９５は、表面保護層９０も兼ねるものであって、ポリエチレンテレフタラート（ＰＥＴ）等のポリエステル系、ポリプロピレン（ＰＰ）等のポリオレフィン系等の熱可塑性樹脂からなる。転写層９５の厚みは、表面保護層９０と同様に１２〜７５μｍが好ましい。
【００４４】
転写層９５の凹凸面９６は、適宜の無機物を練り込んで凹凸を形成する練り込み処理、砂等の異物を転写層９５の下面に衝突させて凹凸を形成するサンドマット処理、転写層９５の下面を化学的に処理して凹凸を形成するケミカルマット処理、転写層９５の下面をヘアライン調の凹凸を形成した公知のヘアライン加工等の適宜の手法によって形成される。転写層９５の凹凸面９６により、透明樹脂層３０の表面に凹凸面９６の形状に応じた艶消面３１を簡便に形成することができる。
【００４５】
金箔代替品１０Ｄは、透明樹脂層３０に艶消面３１を形成したことにより、透明樹脂層３０に艶消し効果を付与して、実際の金箔の質感に対応した金箔調の質感を再現することができ、よりリアルな金箔調の装飾が可能となる。特に、透明樹脂層３０を着色すれば、赤金、白金色等の多様な金箔調の色感をよりリアルに再現することができる。また、艶消面３１の凹凸形状をヘアライン調等とすれば、金箔調表面にさらに意匠性を付与することもできる。
【産業上の利用可能性】
【００４６】
本考案の金箔代替品は、被装飾部材表面に貼着して使用されて金箔調表面を付与する金光輝層を有するフィルムよりなるため、金箔と遜色ない外観を有しながら、金箔よりも簡便かつ安価に製造することができて汎用性にも優れ、金箔と比較して取り扱いやすく貼着の作業性が格段に向上し、保管等もしやすくなって製品としての利便性が高められる。従って、金箔の代替として有望である。
【符号の説明】
【００４７】
１０，１０Ａ，１０Ｂ，１０Ｃ，１０Ｄ  金箔代替品
２０  金光輝層
３０  透明樹脂層
３１  艶消面
４０  上側プライマー層
５０  接着層
６０  下側プライマー層
７０  セパレータ層
８０  基材層
９０  表面保護層
９５  転写層
９６  凹凸面
【図１】
0003223269.tif 000003
【図２】
0003223269.tif 000004
【図３】
0003223269.tif 000005
【図４】
0003223269.tif 000006